(57)【要約】  本発明に係る密閉が容易な真空容器蓋は、内容物を入れる空間が形成された容器本体の入口部を開閉し、一部にバルブ取付孔と少なくとも一つの空気出入孔及び枠の内側に下方に向かって開口された「コ」の字状のパッキン取付溝が形成されている蓋本体、前記空気出入孔を囲む本体部の底面に結合突起を備え前記バルブ取付孔に挿入結合され、前記空気出入孔を囲んで開閉することによって前記空気出入孔を通じて前記容器本体内部の空気を排出し外部からの空気流入を遮断するチェックバルブ、そして前記パッキン取付溝に収容取り付けられ、前記パッキン取付溝の上面に密着する上部密着部、前記容器本体の入口部に密着する下部密着部及び前記上部密着部と前記下部密着部の少なくとも一部に各々一端が連結されており、断面がジグザグ形状の中間密着部を有するパッキンを含む。
2013512753.tif 000002
【特許請求の範囲】
【請求項１】
内容物を入れる空間が用意された容器本体の入口部を開閉し、一部にバルブ取付孔と少なくとも一つの空気出入孔及び枠の内側で下方に向かって開口された「コ」の字状のパッキン取付溝が形成された蓋本体、
前記空気出入孔を囲む本体部の底面に結合突起を備え、前記バルブ取付孔に挿入されて結合され、前記空気出入孔を囲んで開閉することによって前記空気出入孔を通じて前記容器本体内部の空気を排出し、外部からの空気流入を遮断するチェックバルブ、及び
前記パッキン取付溝に収容装着され、前記パッキン取付溝の上面に密着する上部密着部、前記容器本体の入口部に密着する下部密着部及び前記上部密着部と前記下部密着部の少なくとも一部に各々一端が連結されており断面がジグザグ形状である中間密着部を有するパッキンを含むことを特徴とする、密閉が容易な真空容器蓋。
【請求項２】
前記下部密着部及び中間密着部は、前記上部密着部より幅が小さく設けられており、
前記容器本体の入口部を前記下部密着部に密着させて前記容器内部を真空化する場合、前記中間密着部及び前記下部密着部の側面を通じて前記パッキン取付溝内の空気が外部に排出されることを特徴とする、請求項１に記載の密閉が容易な真空容器蓋。
【請求項３】
前記上部密着部の上面には長手方向に沿って少なくとも一つの上部接触突起が形成されていることを特徴とする、請求項１に記載の密閉が容易な真空容器蓋。
【請求項４】
前記下部密着部の下面には長手方向に沿って少なくとも一つの下部接触突起が形成されていることを特徴とする、請求項１に記載の密閉が容易な真空容器蓋。
【請求項５】
前記パッキンは、マイクロ放電処理によって表面腐食処理されたことを特徴とする、請求項１に記載の密閉が容易な真空容器蓋。
【請求項６】
前記パッキンは、硬度が５０乃至７０度であることを特徴とする、請求項１に記載の密閉が容易な真空容器蓋。
【請求項７】
前記パッキン取付溝は、
側面に前記上部密着部を収容結合する係止部がさらに形成されることを特徴とする、請求項１に記載の密閉が容易な真空容器蓋。
【請求項８】
前記パッキンは、
全体高さが１０乃至２０ｍｍであり、
前記上部密着部及び前記下部密着部の厚さは、各々１乃至３ｍｍであり、
前記中間密着部の厚さは、０．５乃至２ｍｍであり、
高さに対する最大収縮率が、４０乃至７０％であることを特徴とする、請求項１に記載の密閉が容易な真空容器蓋。
【請求項９】
前記空気出入孔は、前記バルブ安着溝の周縁に形成されて前記本体部の周縁と接触し囲まれることを特徴とする、請求項１に記載の密閉が容易な真空容器蓋。
【発明の詳細な説明】
【技術分野】
【０００１】
本発明は、密閉が容易な真空容器蓋に関し、より詳細には容器本体に結合されるパッキンを備えた蓋を押して容器内部の空気をチェックバルブを介して排出して容器内部を真空密閉して内部に保管する食物等の内容物の腐敗を防いで新鮮度を維持できる真空容器蓋に関する。
【背景技術】
【０００２】
食物等の内容物の変質を防止して長期間保管するために、食物の冷蔵保管技術と共に食物等は真空状態で長く保管できるため、食物等を入れる容器内部を真空状態にして保管する真空容器が開発されて使われてきている。
【０００３】
かかる真空容器に関する代表的な従来技術としては、図８乃至図１２に示したように蓋に空気を抜き出せるチェックバルブが備えられた２００６年８月１１日付で出願人「Ｐａｒｋ  Ｙｕｎｓｉｋ」により出願された大韓民国特許公開番号第２００８−００１４５３６号に記載された「多用途真空容器蓋」がある。
【０００４】
かかる従来の真空容器蓋の使用方法は、図１０に示したように容器本体１０の内部に食物等の内容物を入れた状態で容器本体１０の入口部１２に蓋を被せてユーザが蓋本体２０を下方向に押すとパッキン４０の密着部４４が、容器本体１０の入口部１２と接触し、その外側端部が上方に向く状態に曲がって蓋が下降して容器本体１０内の空気は、空気出入孔２４を通じてチェックバルブ３０を持ち上げながら容器１から排出される。ユーザの押す作動力が取り除かれると、下降された蓋はパッキン４０の弾性復元力によってやや上昇しながら容器内部の空気を膨張させて容器内を真空化する。この時、パッキン４０は、図１１に示したように容器本体１０の入口部１２の内面に合う形状に曲がって密着されて容器本体１０の入口を閉鎖する。
【０００５】
しかし、かかる従来の真空容器蓋は、パッキン４０の密着部４４が外側端部の方に行くほどその厚さが非常に薄くなる構成である。従って、入口部１２の内面に密着する密着部４４の外側端部が、非常に薄くてユーザが蓋本体２０を下方向に強く押してもパッキン４０の弾性復元力が微小で容器内を高真空化し難いため、密閉力が落ちる問題があった。
【０００６】
また、前記パッキン４０の構造によって容器内を高真空形成のためには、別の真空化装置を利用しなければならない問題があった。
【０００７】
また、パッキン４０の密着部４４は、外側端部が入口部１２の内面に合う形状に曲がって密着したまま容器本体１０の入口を閉鎖するため、密着部４４の密着部分が薄くて不安定な形状で密閉がなされ、時間が経つほど密着部４４の外側端部から外部空気が容器内部に徐々に流入されて容器内部の真空力が減少する問題があった。
【０００８】
また、空気出入孔２４が、バルブ安着溝１３２に隣接設置されてパッキン４０と完全に密着できないため、保管及び使用時の容器内の食物の汁等の液体が空気出入孔２４を通じてパッキン４０との間の空間に流出されて、真空容器や食物の汚染が生じ、容器内部の真空力が減少する問題があった。
【先行技術文献】
【特許文献】
【０００９】
【特許文献１】大韓民国特許公開番号第２００８−００１４５３６号公報
【発明の概要】
【発明が解決しようとする課題】
【００１０】
本発明の目的は、ユーザが別の真空化装置を利用したり強い力を与えなくても容易に容器内部を高真空化することによって、容器の密閉が容易な真空容器蓋を提供することである。
【００１１】
本発明の他の目的は、初期の高真空状態を長時間持続させることによって、食物等の内容物の変質または腐敗を防止して新鮮度を長時間維持できる真空容器蓋を提供することである。
【００１２】
さらに本発明の他の目的は、保管及び使用時に食物の汁等の液体が外部に流出されることを防いで容器及び食物の汚染を防止することである。
【課題を解決するための手段】
【００１３】
前記課題を解決するための本発明の一実施形態に係る密閉が容易な真空容器蓋は、内容物を入れる空間が用意された容器本体の入口部を開閉し、一部にバルブ取付孔と少なくとも一つの空気出入孔及び枠の内側において下方に向かって開口された「コ」の字状のパッキン取付溝が形成された蓋本体、前記空気出入孔を囲む本体部の底面に結合突起を備え前記バルブ取付孔に挿入結合され、前記空気出入孔を囲んで開閉することによって前記空気出入孔を通じて前記容器本体内部の空気を排出する一方、外部からの空気流入を遮断するチェックバルブ、そして前記パッキン取付溝に収容取り付けられ、前記パッキン取付溝の上面に密着する上部密着部、前記容器本体の入口部に密着する下部密着部及び前記上部密着部と前記下部密着部の少なくとも一部に各々一端が連結されており、断面がジグザグ状の中間密着部を有するパッキンを含む。
【００１４】
前記下部密着部及び中間密着部は、前記上部密着部より幅が小さく設けられており、前記容器本体の入口部を前記下部密着部に密着させて前記容器内部を真空化する場合、前記中間密着部及び前記下部密着部の側面を通じて前記パッキン取付溝内の空気が外部に排出される。
【００１５】
前記上部密着部の上面には長手方向に沿って少なくとも一つの上部接触突起が形成されてもよい。
【００１６】
前記下部密着部の下面には長手方向に沿って少なくとも一つの下部接触突起が形成されてもよい。
【００１７】
前記パッキンは、マイクロ放電処理によって表面腐食処理されてもよい。
【００１８】
前記パッキンは、硬度が５０乃至７０度であってもよい。
【００１９】
前記パッキン取付溝は、側面に前記上部密着部を収容して結合する係止部がさらに形成されていることが好ましい。
【００２０】
前記パッキンは、全体高さが１０乃至２０ｍｍであり、前記上部密着部及び前記下部密着部の厚さは、各々１乃至３ｍｍであり、前記中間密着部の厚さは、０．５乃至２ｍｍであり、高さに対する最大収縮率が、４０乃至７０％であることが好ましい。
【００２１】
前記空気出入孔は、前記バルブ安着溝の周縁に形成されて前記本体部の周縁と接触し囲まれることが好ましい。
【発明の効果】
【００２２】
以上のように、本発明に係る密閉が容易な真空容器蓋によると、優秀な弾性復元力を有するパッキン構造によって、ユーザが別の真空化装置を利用したり強い力を与えなくても容器内部を高真空化することによって容器の密閉が容易な有利な効果がある。
【００２３】
また、本発明に係る密閉が容易な真空容器蓋によると、外部空気の流入遮断のために容器本体の入口部と密着するパッキンが十分な厚さを有するだけでなく、パッキン取付溝内で安定した状態を維持して密閉されるため、初期の高真空状態を長時間持続することができ、保管及び使用時に食物の汁等の液体が外部に流出されることを防止できて、食物等の内容物の変質または腐敗を防止して新鮮度を長時間維持できる有利な効果がある。
【図面の簡単な説明】
【００２４】
【図１】本発明の一実施形態に係る密閉が容易な真空容器蓋が適用された真空容器の組立斜視図である。
【図２】本発明の一実施形態に係る密閉が容易な真空容器蓋が適用された真空容器の組立の分解斜視図である。
【図３】本発明の一実施形態に係る密閉が容易な真空容器蓋の底面図である。
【図４】本発明の一実施形態に係る密閉が容易な真空容器蓋が適用された真空容器の真空密閉前後の状態を示すために、図１のＢ−Ｂ線に沿って切断して示した断面図である。
【図５】本発明の一実施形態に係る密閉が容易な真空容器蓋が適用された真空容器の真空密閉前後の状態を示すために、図１のＢ−Ｂ線に沿って切断して示した断面図である。
【図６】本発明の一実施形態に係る密閉が容易な真空容器蓋が適用された真空容器の真空密閉時の動作を説明するための図４の「Ａ」領域の拡大図である。
【図７】本発明の他の実施形態に係る密閉が容易な真空容器蓋の断面図である。
【図８】従来の真空容器蓋が適用された真空容器の組立斜視図である。
【図９】従来の真空容器蓋が適用された真空容器の分解斜視図である。
【図１０】図８のＡ−Ａ線に沿って切断して示した真空容器の断面図である。
【図１１】従来の真空容器蓋が適用された真空容器の真空密閉時の動作を説明するための断面図である。
【図１２】従来の真空容器蓋が適用された真空容器の真空密閉時の動作を説明するための断面図である。
【発明を実施するための形態】
【００２５】
本発明の利点及び特徴、及びそれらを達成する方法は、添付図面と詳述される実施形態を参照すると明確になる。しかし、本発明は下記で開示される多様な実施形態に限定されず、互いに異なる多様な形態で具現でき、単に本実施形態は、本発明の開示が完全になるようにし、本発明が属する技術分野において通常の知識を有する者に発明の範囲を完全に知らせるために提供されるものであり、本発明は請求項の範囲によって定義されるのみである。
【００２６】
明細書全体に亘り同一参照符号は、同一構成要素を示す。本明細書の記述する実施形態は、本発明の理想的な斜視図及び断面図等を参照して説明する。
【００２７】
以下、添付図面を参照して本発明の多様な実施形態に係る密閉が容易な真空容器蓋及びその作動方法に関して説明する。
【００２８】
但し、本発明の多様な実施形態に係る密閉が容易な真空容器蓋及びその作動方法は、大韓民国特許公開番号第２００８−００１４５３６号に記載された「真空容器蓋」を改善したものであるため、当分野の通常の知識を有する者が容易に実施できるようにするために必要な範囲内で真空容器蓋の改善構成の部分及びこれに係る作動方法の相違点を中心に説明し、同一構成の部分及び作動方法は大韓民国特許公開番号第２００８−００１４５３６号によって容易に確認できるため、これに関する説明は省略する。
【００２９】
まず、本発明の一実施形態に係る密閉が容易な真空容器蓋について、図１乃至図６を参照して詳細に説明する。
【００３０】
図１及び図２は、各々本発明の一実施形態に係る密閉が容易な真空容器蓋が適用された真空容器の組立斜視図及び分解斜視図であり、図３は本発明の一実施形態に係る密閉が容易な真空容器蓋の底面図であり、図４及び図５は各々本発明の一実施形態に係る密閉が容易な真空容器蓋が適用された真空容器の真空密閉前後の状態を示すために、図１のＢ−Ｂ線に沿って各々切断して示した断面図、そして図６は本発明の一実施形態に係る密閉が容易な真空容器蓋が適用された真空容器の真空密閉時の動作を説明するための図４の「Ａ」領域の拡大図である。
【００３１】
本実施形態において概略円筒状の真空容器１を例示しており、真空容器の形状は本実施形態に例示された円筒状以外にも三角筒、四角筒、六角筒、八角筒等の多角筒状で具現され、本発明はその形状によって限定されない。但し、従来の真空容器とは異なって、食物等の内容物を入れる空間が用意されている容器本体１０の入口部１２が加圧の便宜のために底から垂直上部に向かってラウンド形の接触部１２ａを有するように設計変更された点で相違点があることを明らかにしておく。接触部１２ａはラウンド形でない平面形でもよい。
【００３２】
図１乃至図６に示したように、本発明の一実施形態に係る密閉が容易な真空蓋は、蓋本体１００、チェックバルブ２００及びパッキン３００を含む。
【００３３】
蓋本体１００は、容器本体１０の開口された入口部１２に取り付けられて入口部１２を開閉する。このために蓋本体１００は、中央部に形成されたバルブ取付孔１２２と周縁に形成された複数の空気出入孔１２４で構成されたバルブ安着溝１２０が形成される。蓋本体１００の枠１３０は、図４の断面図に示したように断面から見ると、容器本体１０の入口部１２の一定部分を覆えるように下方に向かって折曲開口された「コ」の字状のパッキン取付溝１３２が形成される。即ち、パッキン取付溝１３２は、下方に向かって開口された部分を除いて上面１３４と側面１３６で閉鎖された部分で形成された形状である。
【００３４】
チェックバルブ２００は、空気出入孔１２４を完全に囲む本体部２１０の中央底面に形成された結合突起２２０によってバルブ取付孔１２２に挿入結合され、空気出入孔１２４を囲んで開閉することによって空気出入孔１２４を通じて容器本体１０の内部の空気を排出する一方、外部からの空気流入を遮断する。また、本体部２３０の上部一側に用意された取手部２３０を引っ張ると空気出入孔１２４を通じて内部に空気が流入されて真空容器１内の真空状態が解除される。
【００３５】
パッキン３００は、蓋密閉時に下降する蓋本体１００によって圧着され、ユーザが蓋を押す状態では圧縮されておりユーザが押す力を除去すると若干復元しながら下降した蓋を若干上昇させて容器内部の空気を膨張させて容器内部を真空化する。パッキン３００は、全体的には密着される容器本体１０の入口部１２に相応する形状の原形帯形状であり、側面から見ると断面が全体的にジグザグ（ｚｉｇｚａｇ）形状である上部密着部３１０、中間密着部３２０、そして下部密着部３３０を含むように形成されてパッキン取付溝１３２に収容取り付けられる。このためにパッキン３００は天然ゴム、合成ゴム、またはシリコンゴム材質を利用して射出成型等の方法によってその形状加工を経た後、マイクロ放電処理によって表面が微細粗度を持つように表面を腐食して製造することによって、パッキン取付溝１３２における収容取付時の装着力と密着力が増大する長所を有する。
【００３６】
上部密着部３１０は、パッキン取付溝１３２の上面１３４に密着し、上面１３４には密着時にパッキン取付溝１３２との密着力の増大と脱着時のパッキン取付溝１３２との脱着の便宜のために別に長手方向に沿って上部接触突起３１２が形成される。上部接触突起３１２は、その高さが０．１乃至０．５ｍｍであることが好ましいが、高さが０．１ｍｍより低いと脱着作業時にパッキン取付溝１３２から脱着し難いためであり、高さが０．５ｍｍより高いとパッキン取付溝１３２との密着時に密着力が減少する恐れがあるためである。一方、上面１３４と上部密着部３１０との間の密着程度に応じて本実施形態とは異なり上部接触突起３１２は省略してもよい。
【００３７】
下部密着部３３０は、容器本体１０の入口部１２の接触部１２ａに密着して真空容器１内部を真空化し、密着時の接触部１２ａとの密着力の増大と脱着時の外部空気の流入による接触部１２ａとの脱着の便宜のために、別に長手方向に沿って下部接触突起３３２が形成される。下部接触突起３３２も上部接触突起３１２と同様にその高さが０．１乃至０．５ｍｍであることが好ましいが、高さが０．１ｍｍより低いと脱着作業時に接触部１２ａから脱着し難いためであり、高さが０．５ｍｍより高いと接触部１２ａとの密着時に密着力が減少する恐れがあるためである。
【００３８】
一方、接触部１２ａと下部密着部３３０との間の密着程度に応じて本実施形態とは異なり下部接触突起３３２は省略してもよい。
【００３９】
中間密着部３２０は、一端は上部密着部３１０の外側下部と連結されており、他端は下部密着部３２０の外側上部と連結され、中央部は断面が鋸の刃端部形状、即ちジグザグ形状をしている。本実施形態において中間密着部３２０は、断面が二つの鋸の刃端部形状で形成されるが、これとは異なって一つまたは三つ以上の鋸の刃端部形状で形成されてもよい。
【００４０】
中間密着部３２０及び下部密着部３３０は、横方向を基準に図４に示したようにその幅（Ｗ２)が上部密着部３１０の幅（Ｗ１)の０．５倍乃至０．９倍になるように形成され、本実施形態では０．８５倍を最適条件とした。中間密着部３２０及び下部密着部３３０の幅(Ｗ２)が、上部密着部３１０の幅（Ｗ１)に対して０．５倍より小さいと接触部１２ａとの接触面積が減少して密着力が落ちる問題があり、逆に中間密着部３２０の幅(Ｗ２)が上部密着部３１０の幅(Ｗ１)に対して０．９倍より大きいとパッキン取付溝１３２内の空気排出が容易に行えず真空形成が難しい問題が生じる可能性があるためである。
【００４１】
図４に示したように、パッキン３００は収縮による容器蓋と容器本体１０相互間の結合の容易性及びパッキン取付溝１３２の深さを考慮して全体高さ（Ｌ１)が、１０乃至２０ｍｍであることが好ましい。また、上部密着部３１０の厚さ（Ｔ１)及び下部密着部３３０の厚さ（Ｔ３)は、１乃至３ｍｍが好ましく、中間密着部３２０の厚さ（Ｔ２)は、縦方向への収縮の便宜性を考慮して０．５乃至２ｍｍであることが好ましい。
【００４２】
また、図５で示したように、パッキン３００は、真空密閉に係る最大収縮時の高さ(L２)が密閉の容易性と適正真空度確保のために加圧に必要な伸縮性を考慮して、収縮前の全体高さ（Ｌ１)に対して収縮率が４０乃至７０％になるようにすることが好ましい。このために、パッキン３００は、硬度（ｈａｒｄｎｅｓｓ）が５０乃至７０度であることが好ましいが、硬度が５０度より小さいと収縮率が非常に高くパッキン３００の形状が変形し過ぎて密着力が落ちる問題があり、硬度が７０度より高いと収縮率が低過ぎて密着力が落ちる問題が生じるためである。本実施形態においては、硬度が５５度であることを最適条件とした。
【００４３】
以下では図４乃至図６を参照して本発明の一実施形態に係る密閉が容易な真空容器蓋についてその作動方法を中心に再度説明する。
【００４４】
容器本体１０の内部に内容物、例えば食物(図示せず)を入れた状態で容器本体１０の入口部１２にパッキン３００の下部密着部３３０が対応するように蓋を覆って容器１内部を真空化させるためにユーザが蓋本体１００を下方に加圧して押すと図６に示したように中間密着部３２０及び下部密着部３３０の側面を通じてパッキン取付溝１３２内の空気が外部に排出されて、真空容器１の内部は真空状態となる。ユーザが加圧力を取り除いても上部密着部３１０が上面１３４に完全密着して下部密着部３１８が入口部１２と完全に密着し、空気出入孔１２４もパッキン２１０の本体部２１０の周縁と完全に密着されるため、真空容器１の内部と外部との間の気圧差によって真空容器１の内部は、持続的に真空状態を維持することができ、食物等の内容物の中に含まれた液体は外部に流出できなくなる。
【００４５】
以下では本発明の他の実施形態に係る密閉が容易な真空容器蓋について図７を参照して本発明の一実施形態に係る密閉が容易な真空容器蓋との相違点を中心に説明する。
【００４６】
図７は、本発明の他の実施形態に係る密閉が容易な真空容器蓋の断面図である。
【００４７】
本発明の他の実施形態に係る密閉が容易な真空容器蓋は、蓋本体１０１の枠１３１に設けられたパッキン取付溝１３３がその側面１３６に上部密着部３１０を収容して結合する係止部１３８がさらに形成されていることを除いては、本発明の一実施形態に係る密閉が容易な真空容器蓋と同様である。
【００４８】
従って、パッキン３００をパッキン取付溝１３２に進入させて完全に挿入すると上部密着部３１０がパッキン取付溝１３２の上面１３４に完全に真空密着しながら堅固な結合力を維持するようになる。これにより、パッキン３００が真空容器１の密閉過程においてはさらに密閉力を増大させ、一方チェックバルブ２００の取っ手部２３０をユーザが手で引っ張って真空状態を解除させた後、パッキン取付溝１３２からパッキン３００を少しずつ分離すると簡単に分離できる。従って、容器本体１０に蓋を閉じたり開く平常的な作動ではパッキン３００の全区間にさらに均一な圧力が働いて分離されず、クリーニングの際等のユーザがパッキンを分離する必要がある場合にはパッキン取付溝１３２からパッキン３００を簡単に分離した後にクリーニングできる。
【００４９】
以上、本発明の好ましい実施形態について詳細に説明したが、本発明の権利範囲はこれに限定されず、特許請求の範囲で定義している本発明の基本概念を利用した当業者の多様な変形及び改良形態も本発明の権利範囲に属する。
【産業上の利用可能性】
【００５０】
本発明に係る密閉が容易な真空容器蓋は、優秀な弾性復元力を有するパッキン構造によってユーザが別の真空化装置を利用したり強い力を与えなくても真空容器内部を高真空化することによって真空容器の密閉が容易である産業上に有用な発明である。
【００５１】
また、本発明に係る密閉が容易な真空容器蓋は、外部空気の流入遮断のために容器本体の入口部と密着するパッキンが十分な厚さを有するだけでなく、パッキン取付溝内で安定した状態を維持したまま密閉できて初期の高真空状態を長時間持続させることができ、保管及び使用時に食物の汁等の液体がパッキン取付溝や空気出入孔から外部に流出されることを防止できて、食物等の内容物の変質、または腐敗を防止して新鮮度を長時間維持できる産業上有用な発明である。
【符号の説明】
【００５２】
１      真空容器
１０      容器本体
１２      入口部
１２ａ      接触部
１００、１０１      蓋本体
１２０      バルブ安着溝
１２２      バルブ取付孔
１２４      空気出入孔
１３０、１３１      枠
１３２      パッキン取付溝
１３４      上面
１３６      側面
１３８      係止部
２００      チェックバルブ
２１０      本体部
２２０      結合突起
２３０      取っ手部
３００      パッキン
３１０      上部密着部
３１２      上部接触突起
３２０      中間密着部
３３０      下部密着部
３３２      下部接触突起
【図１】
2013512753.tif 000003
【図２】
2013512753.tif 000004
【図３】
2013512753.tif 000005
【図４】
2013512753.tif 000006
【図５】
2013512753.tif 000007
【図６】
2013512753.tif 000008
【図７】
2013512753.tif 000009
【図８】
2013512753.tif 000010
【図９】
2013512753.tif 000011
【図１０】
2013512753.tif 000012
【図１１】
2013512753.tif 000013
【図１２】
2013512753.tif 000014
【国際調査報告】
2013512753.tif 000015
2013512753.tif 000016
2013512753.tif 000017
2013512753.tif 000018